(57)【要約】【課題】  木板の結合及び開梱作業が簡単であり、その上木板の繰り返し使用やリサイクルが可能な包装結合具を提供する。【解決手段】  内のり寸法が結合する２枚の木板の合計板厚寸法とほぼ等しい奥面片２、この奥面片２の両端部に設けた前面片３及び後面片４により一端が開口５するほぼコ字状に形成され、前面片３の自由端を斜め外方に折曲げてガイド部７を形成すると共に、後面片４を前面片３側に傾斜させて開口部５の寸法を奥面片２の内のり寸法より小さく形成した。【選択図】        図１
2006341897.tif 000002
【特許請求の範囲】
【請求項１】
内のり寸法が結合する２枚の木板の合計板厚寸法とほぼ等しい奥面片、該奥面片の両端部に設けた前面片及び後面片により一端が開口するほぼコ字状に形成され、
前記前面片の自由端を斜め外方に折曲げてガイド部を形成すると共に、前記後面片を前面片側に傾斜させて前記開口部の寸法を前記奥面片の内のり寸法より小さく形成したことを特徴とする包装結合具。
【請求項２】
前記開口部の寸法を前記奥面片の内のり寸法より１〜３ｍｍ狭く形成したことを特徴とする請求項１記載の包装結合具。
【請求項３】
前記前面片又は後面片の両側縁部に端部フランジを設けたことを特徴とする請求項１又は２記載の包装結合具。
【請求項４】
前記後面片の自由端を斜め外方に折曲げてガイド部を形成したことを特徴とする請求項１〜３のいずれかに記載の包装結合具。
【請求項５】
ばね性を有する鋼板を曲げ加工して形成したことを特徴とする請求項１〜４のいずれかに記載の包装結合具。
【請求項６】
弾性を有する合成樹脂により形成したことを特徴とする請求項１〜４のいずれかに記載の包装結合具。
【発明の詳細な説明】
【技術分野】
【０００１】
本発明は、例えば包装用木箱を組立てる際に、木箱部材である木板を結合して固定する包装結合具に関するものである。
【背景技術】
【０００２】
従来、包装用木箱の組立てには、木箱を構成する木板どうしを釘によりハンマー等を使用して打ちつけて結合している。また、開梱時には、バール等を使用して釘を抜くか、結合した２枚の木板の間にバールの先端を差込み、結合している木板をこじあけて分離している。
また、日本工業規格では、木板どうしを確実に結合させるために、釘打ちの間隔、位置、釘の本数を、木箱を構成する天、側、つま、床棧木板ごとに規定している。さらに、木割れを避けるため、釘打ち前に下穴処置を施すように規定している（例えば、非特許文献１参照）。
【０００３】
【非特許文献１】日本工業規格ハンドブック JIS Z1402-2003  木箱（第２６２−２６５頁）
【発明の開示】
【発明が解決しようとする課題】
【０００４】
従来の木箱の木板結合は、釘を使用しているため木割れが発生したり、組立作業に時間を要し、開梱時には釘抜き作業のために専用具が必要であった。また、廃棄木材の回収処理時に残留釘により怪我も発生しており、安全作業上問題があった。さらに、釘穴跡の存在や残留釘のため、木板の繰り返し使用やリサイクルが困難であった。
【０００５】
本発明は、上記の課題を解決するためになされたもので、木板の結合及び開梱作業が簡単であり、その上木板の繰り返し使用やリサイクルが可能な包装結合具を提供することを目的とするものである。
【課題を解決するための手段】
【０００６】
本発明に係る包装結合具は、内のり寸法が結合する２枚の木板の合計板厚寸法とほぼ等しい奥面片、該奥面片の両端部に設けた前面片及び後面片により一端が開口するほぼコ字状に形成され、前記前面片の自由端を斜め外方に折曲げてガイド部を形成すると共に、前記後面片を前面片側に傾斜させて前記開口部の寸法を前記奥面片の内のり寸法より小さく形成したものである。
【発明の効果】
【０００７】
本発明によれば、木板の結合及び開梱作業が簡単かつ安全で、その上釘を使用しないので木板の繰り返し使用やリサイクルが可能な包装結合具を得ることができる。
【発明を実施するための最良の形態】
【０００８】
［実施の形態１］
図１は本発明の実施の形態１に係る包装結合具の斜視図、図２は図１の平面図である。
両図において、１は例えばばね性を有する鋼板からなる包装結合具で、奥面片２と、その両端部が同方向にほぼ同じ長さに折曲げられた前面片３と後面片４とからなり、奥面片２に対向して開口部５が設けられたほぼコ字状に形成されている。そして、前面片３の自由端は内側（後面片４側）にほぼ直角に折曲げられて折曲げ部６が形成され、折曲げ部６の先端部は斜め外側に折曲げられてガイド部７が形成されている。
【０００９】
この包装結合具１の奥面片２の幅方向（前面片３と後面片４の間）の内のり寸法Ｗは、結合する２枚の木板（横木板と縦木板）の合計板厚（図３参照）とほぼ等しく、また、後面片４はやや内側（前面片３側）に傾斜して設けられており、開口部５側の前面片３と後面片４との間の内のり寸法Ｗ1は、奥面片２の内のり寸法Ｗよりやや狭く、Ｗ＞Ｗ1に形成されている。実施例では、Ｗ−Ｗ1を１〜３ｍｍとした。また、前面片３の奥面片２と折曲げ部６間の寸法Ｌは、結合する横木板（図３参照）の幅とほぼ等しく形成されている。
【００１０】
上記のような包装結合具１により、木箱を構成する木板を結合するにあたっては、図３、図４に示すように、横木板２０が包装結合具１の前面片３側に、縦木板２１が後面片４側になるようにＴ字状に重ねて、開口部５から挿入する。挿入にあたっては、前面片３のガイド部７を利用して開口部５を押し広げながら、奥面片２に当接するまで押し込む。
これにより、横木板２０は奥面片２と前面片３の折曲げ部６との間に位置し、また、後面片４は横木板２０と縦木板２１の挿入により押し広げられるが、その弾性力により通常形状に戻る作用が働くため、横木板２０と縦木板２１とは重ね合わされて押圧され、固定される。
【００１１】
この場合、横木板２０と縦木板２１の包装結合具１への挿入後は、横木板２０はその側面２２が前面片３の折曲げ部６に当接し、嵌合後の横木板２０の離脱が防止される。なお、縦木板２１の離脱を防止するために、例えば図２に破線で示すように、後面片４の内側に切り起こしなどにより三角形状等の突起部８を設け、この突起部８を縦木板２１の表層に接触させるようにしてもよい。
【００１２】
上記のように包装結合具１により横木板２０と縦木板２１を結合した木箱を開梱する場合は、包装結合具１のガイド部６を例えばペンチやヤットコなどで外方に引っ張り、開口部５を広げることにより容易かつ簡単に取外すことができる。
【００１３】
本実施の形態に係る包装結合具によれば、例えば、ばね性を有する鋼板をコ字状に曲げ加工し、その開口部５の寸法を結合する横木板２０と縦木板２１の合計板厚寸法より若干狭く（例えば、１〜３ｍｍ）形成したので、２枚の木板２０，２１を前面片３と後面片４のばね圧縮力により挟んで結合し、固定するようにしたため、簡単な構造で横木板２０と縦木板２１を容易かつ確実に結合することができ、開梱もまた容易である。
また、釘を使用しないので安全であるばかりでなく、木板を繰り返し使用したり、リサイクルすることもできる。
【００１４】
［実施の形態２］
図５は本発明の実施の形態２に係る包装結合具の斜視図である。なお、実施の形態１と同じ部分にはこれと同じ符号を付し、説明を省略する。
本実施の形態は、包装結合具１の後面片４の両側縁部を内側（前面片３側）に向けてほぼ直角に折曲げて端部フランジ９ａ，９ｂを設けたものである。なお、この端部フランジ９ａ，９ｂの内のり間隔Ｗ2は縦木板２１の幅とほぼ等しく、その高さは１ｍｍ程度から最大でも縦木板２１の板厚寸法までである。
【００１５】
本実施の形態に係る包装結合具１による横木板２０と縦木板２１の結合手順、作用及び効果は、実施の形態１の場合とほぼ同様であるが、図６に示すように、端部フランジ９ａ，９ｂが縦木板２１の両側面に当接して挟み込むので、縦木板２１の回転や横移動を防止することができる。
【００１６】
［実施の形態３］
図７は本発明の実施の形態３に係る包装結合具の斜視図である。なお、実施の形態１、２と同じ部分にはこれと同じ符号を付し、説明を省略する。
本実施の形態は、前面片３の自由端を斜め外方に折曲げてガイド部１０を形成すると共に、その両側縁部に端部フランジ９ａ，９ｂを設け、また、後面片４の自由端を斜め内側に折曲げたのち斜め外側に折曲げてへ字状のガイド部１１を形成したものである。
【００１７】
本実施の形態の包装結合具１による横木板２０と縦木板２１の結合手順、作用、効果は、実施の形態１、２の場合とほぼ同様であるが、さらに、前面片３と後面片４の自由端にそれぞれガイド部１０，１１を設け、横木板２０及び縦木板２１をこのガイド部１０，１１に沿って包装結合具１内に挿入すればよいので、挿入が容易である。なお、端部フランジ９ａ，９ｂは、前面片３に代えて後面片４に設けてもよい。
【００１８】
上記の説明では、横木板２０と縦木板２１の結合に本発明に係る包装結合具を用いた場合を示したが、例えば、横木板２０どうし、あるいは縦木板２１どうしの結合にも用いることができる。
また、上記の説明では、ばね性を有する鋼板で包装結合具を構成した場合を示したが、弾性を有する合成樹脂で構成してもよく、同様の効果を得ることができる。
【図面の簡単な説明】
【００１９】
【図１】本発明の実施の形態１に係る包装結合具の斜視図である。
【図２】図１の平面図である。
【図３】実施の形態１の包装結合具の使用状態を示す説明図である。
【図４】実施の形態１の包装結合具の使用状態を示す説明図である。
【図５】本発明の実施の形態２に係る包装結合具の斜視図である。
【図６】実施の形態２に係る包装結合具の使用状態を示す説明図である。
【図７】本発明の実施の形態３に係る包装結合具の斜視図である。
【符号の説明】
【００２０】
１  包装結合具、２  奥面片、３  前面片、４  後面片、５  開口部、６  折曲げ部、７，１０，１１  ガイド部、９ａ，９ｂ  端部フランジ、２０  横木板、２１  縦木板。
【図１】
2006341897.tif 000003
【図２】
2006341897.tif 000004
【図３】
2006341897.tif 000005
【図４】
2006341897.tif 000006
【図５】
2006341897.tif 000007
【図６】
2006341897.tif 000008
【図７】
2006341897.tif 000009